(57)【要約】【課題】  複数の表示パネルを備える液晶表示装置において、何れかの液晶表示パネルを非表示状態とする場合に、消費電力を削減させることができる液晶表示装置及び液晶表示装置の駆動制御方法を提供すること。【解決手段】  複数の液晶表示パネルを備えて、一定のフレーム期間毎に複数の液晶表示パネルの各々を順次表示駆動する構成において、メイン液晶表示パネル１１を非表示状態とする場合に、非表示状態のメイン液晶表示パネル１１のリフレッシュ動作を複数フレーム毎に行い、メイン液晶表示パネル１１のリフレッシュ動作を行わないフレーム期間において、表示状態のサブ液晶表示パネル１２の走査期間のみを有し、サブ液晶表示パネル１２の極性反転の周期を、リフレッシュ動作を行うフレームに対して長くし、対向電極駆動信号ＶCOM2の極性反転の回数を低減して、消費電力を削減する。【選択図】図４
2006078765.tif 000002
【特許請求の範囲】
【請求項１】
複数の走査ライン及び複数の信号ラインの各交点近傍にマトリクス状に配列されて画素電極を有する複数の表示画素と、各画素電極の対向位置に配設される対向電極と、を有する複数の液晶表示パネルを備え、一定のフレーム期間毎に前記複数の液晶表示パネルの各々を順次表示駆動する液晶表示装置において、
前記各液晶表示パネルの前記対向電極に所定の周期で極性反転する対向電極信号を印加する対向電極駆動手段と、
前記各液晶表示パネルの前記複数の走査ラインに順次に走査信号を印加する複数の走査側駆動手段と、
前記複数の液晶表示パネルの何れかの液晶表示パネルを非表示状態に、他の液晶表示パネルを表示状態に設定し、前記非表示状態に設定された液晶表示パネルに対し、複数フレーム期間毎にリフレッシュ動作を行い、該リフレッシュ動作を行わないフレーム期間において、前記非表示状態に設定された液晶表示パネルの走査期間に対応する期間を備えないように制御する制御手段と、
を備えることを特徴とする液晶表示装置。
【請求項２】
前記各液晶表示パネルの複数の信号ラインの少なくとも一部は、該各液晶表示パネル間で相互に共通に配線されていることを特徴とする請求項１に記載の液晶表示装置。
【請求項３】
前記リフレッシュ動作において、前記液晶表示パネルの前記複数の信号ラインに白表示データを印加することを特徴とする請求項１に記載の液晶表示装置。
【請求項４】
前記制御手段は、前記非表示状態に設定された液晶表示パネルに対する前記対向電極信号を、前記複数フレーム期間毎に極性反転させるように前記対向電極駆動手段を制御することを特徴とする請求項１に記載の液晶表示装置。
【請求項５】
前記制御手段は、前記非表示状態に設定された液晶表示パネルの前記リフレッシュ動作を行わないフレーム期間における前記表示状態に設定された液晶表示パネルに対する前記対向電極信号の極性反転の周期を、前記非表示状態に設定された液晶表示パネルの前記リフレッシュ動作を行うフレーム期間における前記表示状態に設定された液晶表示パネルに対する前記対向電極信号の極性反転の周期より長くすることを特徴とする請求項１に記載の液晶表示装置。
【請求項６】
前記制御手段は、前記非表示状態の液晶表示パネルの前記リフレッシュ動作を行うフレーム期間において、該非表示状態の液晶表示パネルの全走査ラインに同時に走査信号を印加させ、１乃至複数のライン走査期間で当該液晶表示パネルを前記リフレッシュ動作させることを特徴とする請求項１に記載の液晶表示装置。
【請求項７】
前記制御手段は、前記非表示状態の液晶表示パネルの前記リフレッシュ動作を行うフレーム期間において、該非表示状態の液晶表示パネルの前記複数の走査ラインを所定数に分割し、該分割した走査ライン毎に同時に走査信号を印加させ、前記所定数のライン走査期間で当該液晶表示パネルを前記リフレッシュ動作させることを特徴とする請求項１に記載の液晶表示装置。
【請求項８】
前記リフレッシュ動作において、一括駆動される前記非表示状態の液晶表示パネルの前記複数の走査ラインは、当該液晶表示パネルの前記複数の走査ラインを偶数ライン及び奇数ラインに２分割したものであり、２ライン走査期間で当該液晶表示パネルをリフレッシュ動作させることを特徴とする請求項７に記載の液晶表示装置。
【請求項９】
前記制御手段は、前記非表示状態に設定された液晶表示パネルに対し前記リフレッシュ動作を行うフレーム期間と前記リフレッシュ動作を行わないフレーム期間において、前記表示状態に設定された液晶表示パネルに対する前記対向電極信号の極性反転の周期を同じとすることを特徴とする請求項６から８の何れか一項に記載の液晶表示装置。
【請求項１０】
複数の走査ライン及び複数の信号ラインの各交点近傍にマトリクス状に配列されて画素電極を有する複数の表示画素と、各画素電極の対向位置に配設される対向電極と、を有する複数の液晶表示パネルを備え、一定のフレーム期間毎に前記複数の液晶表示パネルの各々を順次表示駆動する液晶表示装置の駆動制御方法において、
前記各液晶表示パネルの前記対向電極に印加する対向電極信号を所定の周期で極性反転させる手順と、
前記各液晶表示パネルの前記複数の走査ラインに順次に走査信号を印加する手順と、
前記複数の液晶表示パネルの何れかの液晶表示パネルを非表示状態に、他の液晶表示パネルを表示状態に設定し、前記非表示状態に設定された液晶表示パネルに対し、複数フレーム期間毎にリフレッシュ動作を行い、該リフレッシュ動作を行わないフレーム期間において、前記非表示状態に設定された液晶表示パネルの走査期間に対応する期間を備えないようにする手順と、
を含むことを特徴とする液晶表示装置の駆動制御方法。
【請求項１１】
前記リフレッシュ動作は、前記液晶表示パネルの前記複数の信号ラインに白表示データを印加する手順を含むことを特徴とする請求項１０に記載の液晶表示装置の駆動制御方法。
【請求項１２】
前記非表示状態に設定された液晶表示パネルに対する前記対向電極信号を、前記複数フレーム期間毎に極性反転させる手順を含むことを特徴とする請求項１０に記載の液晶表示装置の駆動制御方法。
【請求項１３】
前記非表示状態に設定された液晶表示パネルの前記リフレッシュ動作を行わないフレーム期間における前記表示状態に設定された液晶表示パネルに対する前記対向電極信号の極性反転の周期を、前記非表示状態に設定された液晶表示パネルの前記リフレッシュ動作を行うフレーム期間における前記表示状態に設定された液晶表示パネルに対する前記対向電極信号の極性反転の周期より長くする手順を含むことを特徴とする請求項１０に記載の液晶表示装置の駆動制御方法。
【請求項１４】
前記非表示状態の液晶表示パネルの前記リフレッシュ動作を行うフレーム期間において、該非表示状態の液晶表示パネルの全走査ラインに同時に走査信号を印加して前記リフレッシュ動作を行うことを特徴とする請求項１０に記載の液晶表示装置の駆動制御方法。
【請求項１５】
前記非表示状態の液晶表示パネルの前記リフレッシュ動作を行うフレーム期間において、該非表示状態の液晶表示パネルの前記複数の走査ラインを所定数に分割し、該分割した走査ライン毎に同時に走査信号を印加して前記リフレッシュ動作を行うことを特徴とする請求項１０に記載の液晶表示装置の駆動制御方法。
【請求項１６】
前記非表示状態に設定された液晶表示パネルに対し前記リフレッシュ動作を行うフレーム期間と前記リフレッシュ動作を行わないフレーム期間において、前記表示状態に設定された液晶表示パネルに対する前記対向電極信号の極性反転の周期を同じにすることを特徴とする請求項１４または１５に記載の液晶表示装置の駆動制御方法。
【発明の詳細な説明】
【技術分野】
【０００１】
本発明は、複数の表示パネルを備える液晶表示装置及び液晶表示装置の駆動制御方法に関する。
【背景技術】
【０００２】
携帯電話機やＰＤＡ等の携帯型の電子機器では、表示装置として、軽量化、薄型化、低消費電力化が可能な液晶表示装置が多く用いられている。特に、アクティブ素子として薄膜トランジスタ（ＴＦＴ）を用いたアクティブマトリクス方式の液晶表示装置が多用されている。
【０００３】
かかる液晶表示装置では、液晶表示パネル上に、複数の走査ラインと、複数の信号ラインとがそれぞれ直交して配設され、各交点近傍に表示画素が形成されている。
図９は、表示画素の構成の一例を示す等価回路図である。同図に示すように、各表示画素は、薄膜トランジスタ（ＴＦＴ）９１を介して走査ラインＧ及び信号ラインＳに接続された画素電極９２と、画素電極９２に対向する位置に配置された対向電極９３と、画素電極９２と対向電極９３との間に液晶が充填されてなる画素容量９４と、画素容量９４と並列接続され、画素容量９４の印加電圧を保持する補助容量３１とから構成され、画素電極９２と対向電極９３との間に形成される電界により液晶の配列が変化することを用いて、画像表示が実現される。
【０００４】
より詳細には、ＴＦＴ９１のゲートが走査ラインＧに接続され、ソース電極が信号ラインＳに接続され、ドレイン電極が画素容量９４の画素電極９２及び補助容量３１の一方の電極に接続されている。また、対向電極９３には、所定の共通電圧（対向電極信号）ＶCOMが印加され、補助容量３１の他方の電極は共通ライン（補助容量ライン）Ｃに接続されて、所定の共通電圧（対向電極信号）ＶCOMが印加されている。そして、走査ラインＧを介してＴＦＴ９１のゲートに高電位が印加されてＴＦＴ９１がＯＮとなると、画素電極９２に信号ラインＳの電位が印加されることで画素電極９２と対向電極９３との間に電界が形成され、かかる電極間に充填されている液晶が駆動される。
【０００５】
尚、液晶表示装置では、表示画像を視覚的に捉えられるようにするため、例えば液晶表示パネルの裏面にＬＥＤ等によるバックライトが設けられ、液晶の配列によってバックライトの射出光の透過量が制御されて、各表示画素の輝度が調整される。
【０００６】
また近年では、メイン画面及びサブ画面を備える折り畳み型の携帯電話機に代表されるような複数の液晶表示パネルを有する液晶表示装置も知られている。このような複数の液晶表示パネルを有する液晶表示装置では、構造を簡略化するため、信号ラインを共通にすることが多い。例えばメインとサブの２つの液晶表示パネルを有する場合には、メインの液晶表示パネルに配設した信号ラインをサブの液晶表示パネルに延長して配線し、双方の液晶表示パネルを１つのソースドライバで駆動する。尚、走査ラインは、液晶表示パネル毎に別個に配線され、各液晶表示パネルの対向電極に印加される共通電圧ＶCOMは、液晶表示パネル毎に生成される（例えば、特許文献１）。
【特許文献１】特開２００４−１６３７９０号公報
【発明の開示】
【発明が解決しようとする課題】
【０００７】
図１０は、信号ラインを共通としたメインとサブの２つの液晶表示パネルを信号ラインを共通にして表示駆動する場合の従来の信号波形の一例を示す図である。図１０において、メインの液晶表示パネルの走査ライン数を「ｍ１」とし、サブの液晶表示パネルの走査ライン数を「ｍ２」とする。同図においては、横軸を時間軸として、上から順に、信号ラインＳに印加される表示信号の極性、メインの液晶表示パネルの対向電極に印加される共通電圧ＶCOM1、サブの液晶表示パネルの対向電極に印加される共通電圧ＶCOM2、及び２つの液晶表示パネルの各走査ラインＧの信号波形を示している。
【０００８】
同図に示すように、２つの液晶表示パネルを有する場合、１フレーム期間は、バックポーチ（ＢＰ）、メインの液晶表示パネルを表示対象とするメイン画面表示期間、ミドルポーチ（ＭＰ）、サブの液晶表示パネルを表示対象とするサブ画面表示期間そしてフロントポーチ（ＦＰ）から成る。ＢＰとは水平同期信号（不図示）の出力終了からメインの液晶表示パネルの表示信号の出力開始までの期間、ＭＰとはメインの液晶表示パネルの表示信号の出力終了からサブの液晶表示パネルの表示信号の出力開始までの期間、ＦＰとはサブの液晶表示パネルの表示信号の出力終了から水平同期信号（不図示）の出力開始までの期間の非表示期間（帰線期間）ことである。
【０００９】
メイン画面表示期間では、メインの液晶表示パネルの走査ラインＧ1〜Ｇm1が順に走査（スキャン）されて選択状態とされるとともに、該液晶表示パネルに表示させる画像の表示信号が信号ラインＳに印加される。また、サブ画面表示期間では、サブの液晶表示パネルの走査ラインＧm1+1〜Ｇm1+m2が順に選択状態とされるとともに、該液晶表示パネルに表示させる画像の表示信号が信号ラインＳに印加される。即ち、２つの液晶表示パネルを交互に表示対象とすることで、各液晶表示パネルに所望の画像を表示する。
【００１０】
一般的に、液晶表示装置では、液晶が充填される画素電極−対向電極間の電界の極性を所定周期で反転させる反転駆動が行われている。液晶表示パネルでは、上述のように、電極間の電界に応じて液晶の配列が決定されるが、かかる電極間に直流を印加すると、焼き付けが発生したり、液晶の劣化や破壊を引き起こす原因となる。このため、電極間の電界の極性を周期的に反転させることで、これを防止している。
【００１１】
反転駆動方法としてはライン反転駆動やフレーム反転駆動が一般的である。ライン反転駆動とは、各表示画素の極性を走査ライン毎に反転させるとともに、フレーム期間毎にも反転させる方法である。また、フレーム反転駆動とは、各表示画素の極性をフレーム期間毎に反転させる方法である。ここで、「フレーム」とは、各液晶表示パネルに１つの画像を表示させる期間の単位のことを言う。
【００１２】
即ち、図１０に示した信号波形は、ライン反転駆動且つフレーム反転駆動としたものであって、表示信号及び共通電圧ＶCOM1、ＶCOM2の極性が、１走査ライン毎に反転されるとともに、フレーム期間毎にも反転される。このとき、２つの液晶表示パネルに対する共通電圧ＶCOM1、ＶCOM2は常に同極性となるように（極性が一致するように）制御され、表示信号は、共通電圧ＶCOM1、ＶCOM2と極性が逆になるように制御される。
【００１３】
ところで、例えばメインとサブの２つの液晶表示パネルを備える折り畳み型の携帯電話機において、一般的にメインの液晶表示パネルの背面にサブの液晶表示パネルが設置される。そしてメインの液晶表示パネルが内側になるように折り畳んだ状態で保管することが可能なものが多い。折り畳まれた状態にあるとき、消費電力を削減させるためにメインの液晶表示パネルは非表示とされ、携帯電話機の外側に位置することとなるサブの液晶表示パネルはユーザが視覚的に確認可能なため、表示状態とされる。
【００１４】
このようにメインとサブの２つの液晶表示パネルを備える液晶表示装置において、例えばメインの液晶表示パネルを非表示状態とする場合、該液晶表示パネルはノーマリーホワイトの場合は通常白表示状態とされる。メインの液晶表示パネルの走査ラインは非スキャン状態とされ、サブの液晶表示パネルは走査ラインが順にスキャンされて、信号ラインに印加される表示信号に応じて画面表示が行われる。しかしメインの液晶表示パネルの走査ラインが非スキャン状態であってＴＦＴがオフとされていても、ＴＦＴのソース・ドレイン間にはリーク電流が発生する。更に２つの液晶表示パネルに配設された信号ラインは共通であるため、信号ラインの電位はサブの液晶表示パネルに対する表示信号によって変化する。このため、メインの液晶表示パネルは走査ラインが非スキャン状態であっても、リーク電流によって液晶に印加される電界が変化し、非表示状態を良好に維持することができない。
【００１５】
そこで、メインの液晶表示パネルを非表示状態（例えば、白表示状態）にしている間、所定のタイミングで該液晶表示パネルの走査ラインをスキャンすると共に、白表示の表示信号を信号ラインに印加することにより、該液晶表示パネルの全面を白表示状態とする動作が定期的に行われる。この動作を「リフレッシュ動作」と言い、複数フレームに１回のペースで行う必要がある（インターバルリフレッシュ）。
【００１６】
図１１は、信号ラインを共通とした２つの液晶表示パネルにおいて、メインの液晶表示パネルを非表示、サブの液晶表示パネルを表示状態とし、３フレームに１回のペースでメインの液晶表示パネルをリフレッシュ動作する場合の従来の信号波形の一例を示す図である。同図において、横軸を時間軸として、上から順に、走査信号が印加されるゲート番号、信号ラインＳに印加される表示信号の極性、メインの液晶表示パネルの対向電極に印加される共通電圧ＶCOM1、サブの液晶表示パネルの対向電極に印加される共通電圧ＶCOM2の信号波形を示している。
【００１７】
例えば、リフレッシュ動作が行われる３ｎ＋１フレームでは、メイン画面表示期間（メイン画面リフレッシュ動作期間）においてメインの液晶表示パネルの走査ラインＧ1〜Ｇm1が順にスキャンされると共に、該液晶表示パネルを全画面白表示とするための表示信号が信号ラインＳに印加される。また、サブ画面表示期間では、サブの液晶表示パネルの走査ラインＧm1+1〜Ｇm1+m2が順にスキャンされると共に、該液晶表示パネルに表示させる画像の表示信号が信号ラインＳに印加される。
【００１８】
続いて、３ｎ＋２フレームでは、メイン画面表示期間においてはメインの液晶表示パネルの走査ラインは非スキャン状態とされ、表示信号は信号ラインＳに印加されない。サブ画面表示期間においては、サブの液晶表示パネルの走査ラインＧm1+1〜Ｇm1+m2が順にスキャンされると共に、該液晶表示パネルに表示させる画像の表示信号が信号ラインＳに印加される。３（ｎ＋１）フレームにおいても同様の動作が行われる。
【００１９】
次いで、３（ｎ＋１）＋１フレームでは、メイン画面表示期間において再びリフレッシュ動作が行われ、サブ画面表示期間においてはサブの液晶表示パネルに画像を表示させるための動作が行われる。このように、例えば３フレームに１度のペースで非表示とする液晶表示パネルのリフレッシュ動作を行うことにより、該液晶表示パネルの非表示状態を維持していた。
【００２０】
ところで、図１１において、サブの液晶表示パネルの共通電圧ＶCOM2の極性はライン毎に反転駆動されるが、メインの液晶表示パネルの共通電圧ＶCOM1の極性は３フレーム毎に反転駆動される。この場合、メインの液晶表示パネルのリフレッシュ動作が行われないフレーム（例えば、３ｎ＋２フレーム等）においても、メイン画面表示期間に対応する期間がそのまま存在し、この期間にサブの液晶表示パネルの共通電圧ＶCOM2の極性のライン毎の反転駆動は停止されることなく続けられていた。このため、このメインの液晶表示パネルが非スキャン状態にあるときのサブの液晶表示パネルの共通電圧ＶCOM2の反転駆動にかかる電力消費が無駄となっていた。つまり、２つある液晶表示パネルのうち、１つの液晶表示パネルを非表示状態にしたに割に消費電力を大きく低減させることができなかった。
【００２１】
本発明は以上の点を考慮してなされたものであり、その目的とするところは、複数の液晶表示パネルを備える液晶表示装置において、何れかの液晶表示パネルを非表示状態とする場合に、消費電力を削減させることができる液晶表示装置及び液晶表示装置の駆動制御方法を提供することである。
【課題を解決するための手段】
【００２２】
以上の課題を解決するために、請求項１に記載の発明の液晶表示装置は、複数の走査ライン及び複数の信号ラインの各交点近傍にマトリクス状に配列されて画素電極を有する複数の表示画素と、各画素電極の対向位置に配設される対向電極と、を有する複数の液晶表示パネルを備え、一定のフレーム期間毎に前記複数の液晶表示パネルの各々を順次表示駆動する液晶表示装置において、前記各液晶表示パネルの前記対向電極に所定の周期で極性反転する対向電極信号を印加する対向電極駆動手段と、前記各液晶表示パネルの前記複数の走査ラインに順次に走査信号を印加する複数の走査側駆動手段と、前記複数の液晶表示パネルの何れかの液晶表示パネルを非表示状態に、他の液晶表示パネルを表示状態に設定し、前記非表示状態に設定された液晶表示パネルに対し、複数フレーム期間毎にリフレッシュ動作を行い、該リフレッシュ動作を行わないフレーム期間において、前記非表示状態に設定された液晶表示パネルの走査期間に対応する期間を備えないように制御する制御手段と、を備えることを特徴としてる。
【００２３】
請求項２に記載の発明は、請求項１に記載の液晶表示装置において、前記各液晶表示パネルの複数の信号ラインの少なくとも一部は、該各液晶表示パネル間で相互に共通に配線されていることを特徴としている。
【００２４】
請求項３に記載の発明は、請求項１に記載の液晶表示装置において、前記リフレッシュ動作において、前記液晶表示パネルの前記複数の信号ラインに白表示データを印加することを特徴としている。
【００２５】
請求項４に記載の発明は、請求項１に記載の液晶表示装置において、前記制御手段は、前記非表示状態に設定された液晶表示パネルに対する前記対向電極信号を、前記複数フレーム期間毎に極性反転させるように前記対向電極駆動手段を制御することを特徴としている。
【００２６】
請求項５に記載の発明は、請求項１に記載の液晶表示装置において、前記制御手段は、前記非表示状態に設定された液晶表示パネルの前記リフレッシュ動作を行わないフレーム期間における前記表示状態に設定された液晶表示パネルに対する前記対向電極信号の極性反転の周期を、前記非表示状態に設定された液晶表示パネルの前記リフレッシュ動作を行うフレーム期間における前記表示状態に設定された液晶表示パネルに対する前記対向電極信号の極性反転の周期より長くすることを特徴としている。
【００２７】
請求項６に記載の発明は、請求項１に記載の液晶表示装置において、前記制御手段は、前記非表示状態の液晶表示パネルの前記リフレッシュ動作を行うフレーム期間において、該非表示状態の液晶表示パネルの全走査ラインに同時に走査信号を印加させ、１乃至複数のライン走査期間で当該液晶表示パネルを前記リフレッシュ動作させることを特徴としている。
【００２８】
請求項７に記載の発明は、請求項１に記載の液晶表示装置において、前記制御手段は、前記非表示状態の液晶表示パネルの前記リフレッシュ動作を行うフレーム期間において、該非表示状態の液晶表示パネルの前記複数の走査ラインを所定数に分割し、該分割した走査ライン毎に同時に走査信号を印加させ、前記所定数のライン走査期間で当該液晶表示パネルを前記リフレッシュ動作させることを特徴としている。
【００２９】
請求項８に記載の発明は、請求項７に記載の液晶表示装置において、前記リフレッシュ動作において、一括駆動される前記非表示状態の液晶表示パネルの前記複数の走査ラインは、当該液晶表示パネルの前記複数の走査ラインを偶数ライン及び奇数ラインに２分割したものであり、２ライン走査期間で当該液晶表示パネルをリフレッシュ動作させることを特徴としている。
【００３０】
請求項９に記載の発明は、請求項６から８の何れか一項に記載の液晶表示装置において、前記制御手段は、前記非表示状態に設定された液晶表示パネルに対し前記リフレッシュ動作を行うフレーム期間と前記リフレッシュ動作を行わないフレーム期間において、前記表示状態に設定された液晶表示パネルに対する前記対向電極信号の極性反転の周期を同じとすることを特徴としている。
【００３１】
請求項１０に記載の発明は、複数の走査ライン及び複数の信号ラインの各交点近傍にマトリクス状に配列されて画素電極を有する複数の表示画素と、各画素電極の対向位置に配設される対向電極と、を有する複数の液晶表示パネルを備え、一定のフレーム期間毎に前記複数の液晶表示パネルの各々を順次表示駆動する液晶表示装置の駆動制御方法において、前記各液晶表示パネルの前記対向電極に印加する対向電極信号を所定の周期で極性反転させる手順と、前記各液晶表示パネルの前記複数の走査ラインに順次に走査信号を印加する手順と、前記複数の液晶表示パネルの何れかの液晶表示パネルを非表示状態に、他の液晶表示パネルを表示状態に設定し、前記非表示状態に設定された液晶表示パネルに対し、複数フレーム期間毎にリフレッシュ動作を行い、該リフレッシュ動作を行わないフレーム期間において、前記非表示状態に設定された液晶表示パネルの走査期間に対応する期間を備えないようにする手順と、を含むことを特徴としている。
【００３２】
請求項１１に記載の発明は、請求項１０に記載の液晶表示装置の駆動制御方法において、前記リフレッシュ動作は、前記液晶表示パネルの前記複数の信号ラインに白表示データを印加する手順を含むことを特徴としている。
【００３３】
請求項１２に記載の発明は、請求項１０に記載の液晶表示装置の駆動制御方法において、前記非表示状態に設定された液晶表示パネルに対する前記対向電極信号を、前記複数フレーム期間毎に極性反転させる手順を含むことを特徴としている。
【００３４】
請求項１３に記載の発明は、請求項１０に記載の液晶表示装置の駆動制御方法において、前記非表示状態に設定された液晶表示パネルの前記リフレッシュ動作を行わないフレーム期間における前記表示状態に設定された液晶表示パネルに対する前記対向電極信号の極性反転の周期を、前記非表示状態に設定された液晶表示パネルの前記リフレッシュ動作を行うフレーム期間における前記表示状態に設定された液晶表示パネルに対する前記対向電極信号の極性反転の周期より長くする手順を含むことを特徴としている。
【００３５】
請求項１４に記載の発明は、請求項１０に記載の液晶表示装置の駆動制御方法において、前記非表示状態の液晶表示パネルの前記リフレッシュ動作を行うフレーム期間において、該非表示状態の液晶表示パネルの全走査ラインに同時に走査信号を印加して前記リフレッシュ動作を行うことを特徴としている。
【００３６】
請求項１５に記載の発明は、請求項１０に記載の液晶表示装置の駆動制御方法において、前記非表示状態の液晶表示パネルの前記リフレッシュ動作を行うフレーム期間において、該非表示状態の液晶表示パネルの前記複数の走査ラインを所定数に分割し、該分割した走査ライン毎に同時に走査信号を印加して前記リフレッシュ動作を行うことを特徴としている。
【００３７】
請求項１６に記載の発明は、請求項１４または１５に記載の液晶表示装置の駆動制御方法において、前記非表示状態に設定された液晶表示パネルに対し前記リフレッシュ動作を行うフレーム期間と前記リフレッシュ動作を行わないフレーム期間において、前記表示状態に設定された液晶表示パネルに対する前記対向電極信号の極性反転の周期を同じにすることを特徴としている。
【発明の効果】
【００３８】
本発明によれば、複数の液晶表示パネルを備える液晶表示装置において、何れかの液晶表示パネルを非表示状態とする場合に、表示状態の液晶表示パネルに対する対向電極信号の反転回数を制御して液晶表示装置の消費電力を削減することができる。
【発明を実施するための最良の形態】
【００３９】
以下、図面を参照して、本発明に好適な実施形態を説明する。尚、以下では、信号ライン（ソースライン）を共通とする２つの液晶表示パネルを有する液晶表示装置を説明する。尚、以下では、２つの液晶表示パネルでソースドライバ回路やゲートドライバ回路等を含む１つのドライバ回路を共用するように構成した場合を説明するが、これに限定されるものではなく、例えば、２つの液晶表示パネルで１つのソースドライバ回路が共有され、液晶表示パネルそれぞれに専用のゲートドライバ回路が設けられる構成等としてもよい。
【００４０】
また、以下では、２つの液晶表示パネルは同じ本数の信号ラインを有するものとするが、本発明はこれに限定されるものではなく、例えば一方の液晶表示パネルの信号ラインの本数が他方の液晶表示パネルの信号ラインの本数より多く、一方の液晶表示パネルの信号ラインの一部は他方の液晶表示パネルに共通に配線されていないものであってもよい。
【００４１】
［液晶表示装置の構成］
先ず、本実施の形態における液晶表示装置の構成を説明する。図１は、本実施形態における液晶表示装置１の概略構成図である。同図に示すように、本実施形態の液晶表示装置１は、２つの表示画面を有するものであり、第１画面としてのメイン液晶表示パネル１１と、第２画面としてのサブ液晶表示パネル１２とを備えている。メイン液晶表示パネル１１、サブ液晶表示パネル１２は、例えばフレキシブルプリント基板ＦＰＣを介して電気的に接続されている。また、液晶表示パネル１１に、ソースドライバ回路やゲートドライバ回路、ＶＣＯＭ発生回路を含むドライバ回路２１が設けられおり、これによって液晶表示パネル１１、１２の双方が駆動される。
【００４２】
図２は、この液晶表示装置１の全体構成を示すブロック図である。同図によれば、液晶表示装置１は、メイン液晶表示パネル１１、サブ液晶表示パネル１２、ソースドライバ回路１３と、メインゲートドライバ回路１４、サブゲートドライバ回路１５、メインＶＣＯＭ回路発生回路１６、サブＶＣＯＭ発生回路１７、反転ＲＧＢ発生回路１８及びＬＣＤコントローラ回路１９等を備えて構成される。ここで、ソースドライバ回路１３、メインゲートドライバ回路１４、サブゲートドライバ回路１５、メインＶＣＯＭ発生回路１６及びサブＶＣＯＭ発生回路１７は、図１のドライバ回路２１に含まれるものである。
【００４３】
また、図３は、各液晶表示パネルの等価回路を示す回路構成図である。図１〜図３に示すように、メイン液晶表示パネル１１には、行方向に、メインゲートドライバ回路１４に接続されたｍ１本の走査ライン（ゲートライン）Ｇ1〜Ｇm1が配置（配線）されているとともに、列方向に、ソースドライバ回路１３に接続されたｎ本の信号ライン（ソースライン）Ｓ1〜Ｓnが配置されている。そして、走査ラインＧ1〜Ｇm1と信号ラインＳ1〜Ｓnとの各交点近傍には複数の表示画素が形成されている。各表示画素は、図９に示した構成と同様の構成を有し、アクティブ素子であるＴＦＴ９１と、画素電極−対向電極間に液晶が充填されて成る画素容量（液晶容量）９４と、画素容量９４と並列に設けられ、画素容量９４に印加された信号電圧を保持する補助容量３１と、から構成される表示画素が形成されている。即ち、メイン液晶表示パネル１１には、画素数「ｎ×ｍ１」の画面が形成されている。
【００４４】
より詳細には、画素容量９４は、画素電極が、ＴＦＴ９１を介して走査ラインＧ及び信号ラインＳに接続され、対向電極９３（不図示）及び補助容量３１の他端に接続される共通ラインＣ（不図示）にメインＶＣＯＭ発生回路１６により生成された共通電圧（対向電極信号）ＶCOM1が印加されている。
【００４５】
そして、走査ラインＧ1〜Ｇm1が順次高電位とされて選択状態となると、対応する各表示画素のＴＦＴ９１がＯＮになり、該各表示画素に対応する信号ラインＳ1〜Ｓnの電位が印加されることで１ライン分の表示データが書き込まれ、１つの画像がメイン液晶表示パネル１１に表示される。
【００４６】
また、メイン液晶表示パネル１１に配線されている信号ラインＳ1〜Ｓnは、フレキシブルプリント基板ＦＰＣを介してサブ液晶表示パネル１２に延長（延伸）されている。
【００４７】
サブ液晶表示パネル１２には、行方向に、サブゲートドライバ回路１５に接続されたｍ２本の走査ラインＧm1+1〜Ｇm1+m2が配置されているとともに、列方向に、メイン液晶表示パネル１１から延長されたｎ本の信号ラインＳ1〜Ｓnが配置されている。そして、走査ラインＧm1+1〜Ｇm1+m2と信号ラインＳ1〜Ｓnとの各交点近傍には、メイン液晶表示パネル１１と同様に、ＴＦＴ９１と、画素容量９４と、補助容量３１と、から構成される表示画素が形成されている。即ち、サブ液晶表示パネル１２には、画素数「ｎ×ｍ２」の画面が形成されている。
【００４８】
また、画素容量９４の対向電極９３（不図示）及び補助容量３１の他端に接続される共通ラインＣ（不図示）にサブＶＣＯＭ回路１７により生成された共通電圧（対向電極信号）ＶCOM2が印加されている。
【００４９】
そして、走査ラインＧm1+1〜Ｇm1+m2が順次高電位とされて選択状態となると、対応するＴＦＴ９１がＯＮになり、該各表示画素に対応する信号ラインＳ1〜Ｓnの電圧が印加されることで１ライン分の表示データが書き込まれ、１つの画像がサブ液晶表示パネル１２に表示される。
【００５０】
即ち、本実施の形態の液晶表示装置１では、１つのソースドライバ回路１３に接続された信号ラインＳ1〜Ｓnがメイン液晶表示パネル１１、サブ液晶表示パネル１２に共通して配線され、該ソースドライバ回路１３によって駆動される。
【００５１】
反転ＲＧＢ発生回路１８は、液晶表示装置１の外部から入力される映像信号から、水平同期信号Ｈ、垂直同期信号Ｖ及びコンポジット同期信号ＣＳＹを抽出してＬＣＤコントローラ回路１９に出力する。また、映像信号に含まれるＲＧＢの各色信号（ＲＧＢ信号）を抽出し、ＬＣＤコントローラ回路１９から入力される極性反転信号ＦＲＰに基づいてＲＧＢ信号の極性を周期的に反転させてＲＧＢ反転信号（輝度信号）を生成し、ソースドライバ回路１３に出力する。
【００５２】
ＬＣＤコントローラ回路１９は、反転ＲＧＢ反転回路１８から入力される水平同期信号Ｈ、垂直同期信号Ｖ及びコンポジット同期信号ＣＳＹに基づいて、映像信号に基づく画像をメイン液晶表示パネル１１及びサブ液晶表示パネル１２に表示させるための制御を行う。
【００５３】
具体的には、ＬＣＤコントローラ回路１９は、信号ラインＳ1〜Ｓnに印加する表示信号の極性反転を制御する極性反転信号ＦＲＰを生成して反転ＲＧＢ発生回路１８に出力する。また、メイン液晶表示パネル１１の共通ラインに印加する共通電圧ＶCOM1の極性反転を制御するメイン極性反転信号ＦＲＰ１を生成してメインＶＣＯＭ発生回路１６に出力するとともに、サブ液晶表示パネル１２の共通ラインに印加する共通電圧ＶCOM2の極性反転を制御するサブ極性反転信号ＦＲＰ２を生成してサブＶＣＯＭ発生回路１７に出力する。
【００５４】
更に、ＬＣＤコントローラ回路１９は、信号ラインＳ1〜Ｓnへの表示信号の印加タイミングを制御する水平制御信号を生成してソースドライバ回路１３に出力する。また、走査ラインＧ1〜Ｇm1への走査信号（ゲートパルス）の印加タイミングを制御するメイン垂直制御信号を生成してメインゲートドライバ回路１４に出力するとともに、走査ラインＧm1+1〜Ｇm1+m2への走査信号（ゲートパルス）の印加タイミングを制御するサブ垂直制御信号を生成してサブゲートドライバ回路１５に出力する。
【００５５】
ソースドライバ回路１３は、ＬＣＤコントローラ回路１９から入力される水平制御信号に基づいて、反転ＲＧＢ発生回路１８から入力される反転ＲＧＢ信号（輝度信号）を順次サンプリングし、対応する表示信号電圧を、水平走査期間毎に、信号ラインＳ1〜Ｓnに一斉に印加する。
【００５６】
メインゲートドライバ回路１４は、ＬＣＤコントローラ回路１９から入力されるメイン垂直制御信号に基づいて、メイン液晶表示パネル１１の走査ラインＧ1〜Ｇm1に走査信号（ゲートパルス）を順次印加する。また、メインゲートドライバ回路１４はメインシフトレジスタ回路１４１を備える。メインシフトレジスタ回路１４１にはＬＣＤコントローラ回路１９からメイン垂直制御信号として、例えばメインゲートスタート信号、メインゲートクロック信号及びメインゲートイネーブル信号が入力される。
【００５７】
メインゲートスタート信号は、メインシフトレジスタ回路１４１を構成する各シフトレジスタに対応する走査ラインの選択／非選択を設定するデータを示す信号であり、例えば“１”または“０”を示すデータによって構成される。メインシフトレジスタ回路１４１は、メインゲートスタート信号が入力される共に、メインゲートクロック信号に同期して順次シフト動作を行う。そしてメインゲートイネーブル信号が入力されると、各シフトレジスタに設定されたデータが対応する走査ラインに印加される。例えば、走査ラインＧ1に対応するシフトレジスタに“１”が設定されている場合、メインゲートイネーブル信号の入力により、走査ラインＧ1に“１”に対応する電圧（ハイレベル）が走査信号（ゲートパルス）として印加される。
【００５８】
サブゲートドライバ回路１５は、ＬＣＤコントローラ回路１９から入力されるサブ垂直制御信号に基づいて、サブ液晶表示パネル１２の走査ラインＧm1+1〜Ｇm1+m2に走査信号（ゲートパルス）を順次印加する。サブゲートドライバ回路１５はサブシフトレジスタ回路１５１を備える。サブシフトレジスタ回路１５１にはＬＣＤコントローラ回路１９からサブ垂直制御信号として、例えばサブゲートスタート信号、サブゲートクロック信号及びサブゲートイネーブル信号が入力される。
【００５９】
サブゲートスタート信号は、サブシフトレジスタ回路１５１を構成する各シフトレジスタに対応する走査ラインの選択／非選択を設定するデータを示す信号であり、例えば“１”または“０”を示すデータによって構成される。サブシフトレジスタ回路１５１は、サブゲートスタート信号が入力される共に、サブゲートクロック信号に同期して順次シフト動作を行う。そしてサブゲートイネーブル信号が入力されると、各シフトレジスタに設定されたデータが対応する走査ラインに印加される。例えば、走査ラインＧm1+1に対応するシフトレジスタに“１”が設定されている場合、サブゲートイネーブル信号の入力により、走査ラインＧm1+1に“１”に対応する電圧（ハイレベル）が走査信号（ゲートパルス）として印加される。
【００６０】
メインＶＣＯＭ発生回路１６は、ＬＣＤコントローラ回路１９から入力されるメイン極性反転信号ＦＲＰ１に基づいて極性を反転させた共通電圧ＶCOM1を生成し、メイン液晶表示パネル１１の共通ラインＣ１に印加する。また、サブＶＣＯＭ発生回路１７は、ＬＣＤコントローラ回路１９から入力されるサブ極性反転信号ＦＲＰ２に基づいて極性を反転させた共通電圧ＶCOM2を生成し、サブ液晶表示パネル１２の共通ラインＣ２に印加する。
【００６１】
以上の構成により、メインゲートドライバ回路１４に入力されるメイン垂直制御信号（メインゲートスタート信号、メインゲートクロック信号及びメインゲートイネーブル信号）、サブゲートドライバ回路１５に入力されるサブ垂直制御信号（サブゲートスタート信号、サブゲートクロック信号及びサブゲートイネーブル信号）、ソースドライバ回路１３に入力される水平制御信号、メイン極性反転信号ＦＲＰ及びサブ極性反転信号ＦＲＰ２等のＬＣＤコントローラ回路１９から出力される各種制御信号によって、メイン液晶表示パネル１１及びサブ液晶表示パネル１２の各走査ラインのスキャン動作、信号ラインに印加される表示信号の出力タイミング及び該表示信号の極性反転駆動、共通電圧ＶCOM1及びＶCOM2の極性反転駆動が制御される。以下、ＬＣＤコントロール回路１９の制御の下、メイン液晶表示パネル１１及びサブ液晶表示パネル１２を駆動する３つの実施形態について説明する。
【００６２】
＜第１実施形態＞
次に第１実施形態を図示例と共に説明する。本第１実施形態は、フレーム期間の時間を保ちつつ、非表示状態とする液晶表示パネルのリフレッシュ動作が行われないフレーム期間において、非表示状態とする液晶表示パネルの走査期間に対応する期間を備えず、表示状態とする液晶表示パネルのライン反転周波数を下げ、表示させる液晶表示パネルの対向電極に印加される対向電極信号の、１フレーム期間における極性反転の回数を少なくすることを特徴とする。
【００６３】
図４は、本実施形態での液晶表示装置の駆動方法を説明するための信号波形であり、メイン液晶表示パネル１１を非表示、サブ液晶表示パネル１２を表示状態とし、３フレームに１回のペースでメイン液晶表示パネル１１をリフレッシュ動作する場合の一例を示す図である。同図において、横軸を時間軸として、上から順に、走査信号が印加されるゲート番号、信号ラインＳに印加される表示信号の極性、メイン液晶表示パネル１１の対向電極に印加される共通電圧（対向電極信号）ＶCOM1、サブ液晶表示パネル１２の対向電極に印加される共通電圧（対向電極信号）ＶCOM2の信号波形を示している。
【００６４】
例えば、メイン液晶表示パネル１１のリフレッシュ動作が行われる３ｎ＋１フレームでは、メイン画面表示期間（メイン画面リフレッシュ動作期間）において、各走査ラインに走査信号が順次印加されてメイン液晶表示パネル１１の走査ラインＧ1〜Ｇm1が順にスキャンされると共に、メイン液晶表示パネル１１を全画面白表示とするための表示信号が信号ラインＳに印加される。また、サブ画面表示期間では、サブ液晶表示パネル１２の走査ラインＧm1+1〜Ｇm1+m2が順にスキャンされると共に、サブ液晶表示パネル１２に表示させる画像の表示信号が信号ラインＳに印加される。
【００６５】
続いて、３ｎ＋２フレームでは、メイン液晶表示パネル１１のリフレッシュ動作が行われない期間であるため、メイン画面表示期間に対応する期間は存在せず、１フレーム期間をサブ画面表示期間及びＦＰのみとする。しかしながら、１フレーム期間の時間は一定とする必要があるため、サブ液晶表示パネル１２のゲートスキャン及びライン反転駆動の周波数を下げて表示動作が行われる。つまり、メイン液晶表示パネル１１が非スキャン状態であるとき、サブ画面表示期間において、ライン走査の周期を長くして液晶表示パネル１２の走査ラインＧm1+1〜Ｇm1+m2が順にスキャンされると共に、サブ液晶表示パネル１２に表示させる画像の表示信号が信号ラインＳに印加される。３（ｎ＋１）フレームも同様である。そして、３（ｎ＋１）＋１フレームにおいて、メイン液晶表示パネル１１に印加される共通電圧ＶCOM1の極性が反転され、再びメイン液晶表示パネル１１のリフレッシュ動作が行われる。
【００６６】
このように、例えば、メイン液晶表示パネル１１を非表示状態とし、サブ液晶表示パネル１２を表示状態とする場合、メイン液晶表示パネル１１のリフレッシュ動作を行わないフレーム期間において、メイン画面表示期間を無くし、サブ画面表示期間のみとすることによって、サブ液晶表示パネル１２のゲートスキャン及びライン反転駆動の周波数を下げることができる。これにより、メイン液晶表示パネル１１を非表示状態とするフレーム期間におけるサブ液晶表示パネル１２に対応する共通電圧ＶCOM2の極性反転の回数を、メイン液晶表示パネル１１をリフレッシュ動作するフレーム期間における共通電圧（対向電極信号）ＶCOM2の極性反転の回数対して減らすことができる。これにより、液晶表示装置１の消費電力を削減することができる。
【００６７】
＜第２実施形態＞
次に、第２実施形態を図示例と共に説明する。本第２実施形態は、非表示状態とする液晶表示パネルのリフレッシュ動作を全走査ライン一括して行うことにより、表示させる液晶表示パネルの対向電極に印加される対向電極信号の、１フレーム期間における極性反転の回数を、前記第１実施形態の場合に対して、更に減少させることを特徴とする。
【００６８】
図５は、本実施形態での液晶表示装置の駆動方法を説明するための信号波形であり、メイン液晶表示パネル１１を非表示、サブ液晶表示パネル１２を表示状態とし、３フレームに１回のペースでメイン液晶表示パネル１１を全画面一括してリフレッシュ動作する場合の一例を示す図である。同図において、横軸を時間軸として、上から順に、走査信号が印加されるゲート番号、信号ラインＳに印加される表示信号の極性、メイン液晶表示パネル１１の対向電極に印加される共通電圧（対向電極信号）ＶCOM1、サブ液晶表示パネル１２の対向電極に印加される共通電圧（対向電極信号）ＶCOM2、メイン液晶表示パネル１１及びサブ液晶表示パネル１２の各走査ラインＧの信号波形を示している。
【００６９】
例えば、リフレッシュ動作が行われる３ｎ＋１フレームは、サブ画面表示期間及びメイン画面リフレッシュ動作期間及びＦＰから成る。サブ画面表示期間では、サブ液晶表示パネル１２の走査ラインＧm1+1〜Ｇm1+m2が順にスキャンされると共に、サブ液晶表示パネル１２に表示させる画像の表示信号が信号ラインＳに印加される。
【００７０】
メイン画面リフレッシュ動作期間は、１ライン走査期間に設定される。このメイン画面リフレッシュ動作期間においては、メイン液晶表示パネル１１の各走査ラインが順次スキャンされて各表示画素が順次リフレッシュされるのではなく、全走査ラインが一括して選択状態とされると共に、白表示を示す表示信号がソースドライバ回路１３から全信号ラインに印加されることによりリフレッシュ動作が行われる。即ち、メイン液晶表示パネル１１の全画面の一括駆動が行われる。尚、本実施形態においては、メイン画面リフレッシュ動作期間において、全走査ラインを同時に選択状態にする必要があるが、これは例えば、ＬＣＤコントローラ回路１９からメインゲートスタート信号として「１、１、１、１、１・・」の信号をメインシフトレジスタ回路１４１に印加して、全てのレジスタに“１”を設定し、メインゲートイネーブル信号の出力に同期して、メインシフトレジスタ回路１４１の全レジスタから走査信号（ゲートパルス）を全走査ラインに印加することによって行うことができる。
【００７１】
続いて、３ｎ＋２フレームでは、メイン液晶表示パネル１１のリフレッシュ動作が行われないためメイン画面表示期間は存在せず、例えばメイン画面リフレッシュ動作期間に対応する期間（１ライン走査期間）がＦＰとなって、このＦＰとサブ画面表示期間のみで１フレーム期間が構成される。サブ画面表示期間において、サブ液晶表示パネル１２の走査ラインＧm1+1〜Ｇm1+m2が順にスキャンされると共に、サブ液晶表示パネル１２に表示させる画像の表示信号が信号ラインＳに印加される。３（ｎ＋１）フレームも同様である。ここで、リフレッシュ動作が行われるフレーム期間におけるメイン画面リフレッシュ動作期間と、リフレッシュ動作が行われないフレーム期間におけるＦＰが同じ期間（１ライン走査期間）に設定される場合、両フレーム期間において、サブ液晶表示パネル１２のゲートスキャン及びライン反転駆動の周波数、及び、共通電圧ＶCOM2の極性反転の回数は同じに設定される。
【００７２】
そして、３（ｎ＋１）＋１フレームにおいて、メイン液晶表示パネル１１に印加される共通電圧ＶCOM1の極性が反転され、再びメイン液晶表示パネル１１のリフレッシュ動作が行われる。
【００７３】
このように、例えば、メイン液晶表示パネル１１を非表示状態とし、サブ液晶表示パネル１２を表示状態とする場合、メイン液晶表示パネル１１のリフレッシュ動作を行わないフレーム期間においては、前記第１実施形態の場合と同様に、メイン画面表示期間を無くし、サブ画面表示期間のみとすることによって、サブ液晶表示パネル１２のゲートスキャン及びライン反転駆動の周波数を下げ、サブ液晶表示パネル１２に対応する共通電圧（対向電極信号）ＶCOM2の極性反転の回数を減らすことができる。更に、本実施形態においては、メイン液晶表示パネル１１のリフレッシュ動作を行うフレーム期間において、メイン画面リフレッシュ動作期間を全画面一括駆動により１ライン走査期間で行うようにすることによって、前記第１実施形態の場合のように、メイン液晶表示パネル１１のリフレッシュ動作を各走査ラインに走査信号を順次印加して行う場合に比べて、サブ液晶表示パネル１２のゲートスキャン及びライン反転駆動のライン周波数を下げることができる。これにより、メイン液晶表示パネル１１のリフレッシュ動作を行うフレーム期間においても、サブ液晶表示パネル１２に対応する共通電圧ＶCOM2の極性反転回数を減らすことができるため、消費電力をより一層低減することができる。
【００７４】
尚、上述ではリフレッシュ動作を行う期間は１ライン走査期間として説明したが、全走査ラインにかかる負荷容量を考慮すると、短時間内に全画面一括駆動を行うと負担が大きくなり、１ライン走査期間内でリフレッシュ動作が完了しない場合がある。そこでリフレッシュ動作を行う期間を複数ライン走査期間としてもよい。
【００７５】
＜第３実施形態＞
次に、第３実施形態を図示例と共に説明する。本第３実施形態は、前記第２実施形態に対し、非表示状態とする液晶表示パネルのリフレッシュ動作を、当該液晶表示パネルの全走査ラインを複数の走査ライン毎に分割し、分割した複数の走査ライン毎に行うことを特徴とする。
【００７６】
図６は、本実施形態での液晶表示装置の駆動方法を説明するための信号波形であり、メイン液晶表示パネル１１を非表示、サブ液晶表示パネル１２を表示状態とし、３フレームに１回のペースでメイン液晶表示パネル１１の全走査ラインを２つに分割してリフレッシュする場合の一例を示す図である。同図において、横軸を時間軸として、上から順に、走査信号が印加されるゲート番号、信号ラインＳに印加される表示信号の極性、メイン液晶表示パネル１１の対向電極に印加される共通電圧（対向電極信号）ＶCOM1、サブ液晶表示パネル１２の対向電極に印加される共通電圧（対向電極信号）ＶCOM2、メイン液晶表示パネル１１及びサブ液晶表示パネル１２の各走査ラインＧの信号波形を示している。
【００７７】
例えば、リフレッシュ動作が行われる３ｎ＋１フレームは、サブ画面表示期間、メイン画面リフレッシュ動作期間及びＦＰから成る。ここで、ＦＰは１ライン走査期間に設定される。サブ画面表示期間では、サブ液晶表示パネル１２の走査ラインＧm1+1〜Ｇm1+m2が順にスキャンされると共に、サブ液晶表示パネル１２に表示させる画像の表示信号が信号ラインＳに印加される。
【００７８】
メイン画面リフレッシュ動作期間は、２ライン走査期間である。メイン液晶表示パネル１１の各走査ラインは、例えば奇数走査ラインと偶数走査ラインの２つに分割され、メイン画面リフレッシュ動作期間の前半では奇数走査ラインが一括して選択状態とされると共に、白表示を示す表示信号がソースドライバ回路１３から全信号ラインに印加されることによりリフレッシュ動作が行われる。そしてメイン画面リフレッシュ動作期間の後半では偶数走査ラインが一括して選択状態とされると共に、白表示を示す表示信号がソースドライバ回路１３から全信号ラインに印加されることによりリフレッシュ動作が行われる。即ち、メイン液晶表示パネル１１は全画面が２回に分けてリフレッシュされる。
【００７９】
続いて、３ｎ＋２フレームでは、リフレッシュ動作が行われないためメイン画面リフレッシュ動作期間は存在せず、サブ画面表示期間及びＦＰのみとなる。ここで、ＦＰは３ライン走査期間に設定される。サブ画面表示期間において、サブ液晶表示パネル１２の走査ラインＧm1+1〜Ｇm1+m2が順にスキャンされると共に、サブ液晶表示パネル１２に表示させる画像の表示信号が信号ラインＳに印加される。３（ｎ＋１）フレームも同様である。そして、３（ｎ＋１）＋１フレームにおいて、メイン液晶表示パネル１１に印加される共通電圧ＶCOM1の極性が反転され、再びメイン液晶表示パネル１１のリフレッシュ動作が行われる。ここで、リフレッシュ動作が行われるフレーム期間におけるメイン画面リフレッシュ動作期間及びＦＰを合わせた期間と、リフレッシュ動作が行われないフレーム期間におけるＦＰが同じ期間（３ライン走査期間）に設定される場合、両フレーム期間において、サブ液晶表示パネル１２のゲートスキャン及びライン反転駆動の周波数、及び、共通電圧ＶCOM2の極性反転の回数は同じに設定される。
【００８０】
尚、上述では非表示状態とする液晶表示パネルの走査ラインを偶数走査ラインと奇数走査ラインの２つに分割して、それぞれ別のタイミングでリフレッシュすることとして説明したが、走査ラインにかかる負荷容量を考慮して、分割数は２つ以上の数、３つや４つでも構わない。この場合、リフレッシュ動作期間にかかるライン走査期間数も分割数に応じて増やすこととなる。例えば、全走査ラインを３分割してリフレッシュ動作を行う場合は、リフレッシュ動作期間として３ライン走査期間要する。
【００８１】
次に、本実施形態の駆動方法を実現するための具体的な方法の一例について説明する。図７は、本実施形態での液晶表示装置の駆動方法を実現するための具体的な信号波形の一例であり、メイン液晶表示パネル１１を非表示、サブ液晶表示パネル１２を表示状態とし、メイン液晶表示パネル１１の全走査ラインを２つに分割してリフレッシュするフレームの一例を示す図である。同図において、横軸を時間軸として、上から順に、走査信号が印加されるゲート番号、信号ラインＳに印加される表示信号の極性、メイン液晶表示パネル１１の対向電極に印加される共通電圧ＶCOM1、サブ液晶表示パネル１２の対向電極に印加される共通電圧ＶCOM2、メインゲートスタート信号、メインゲートクロック信号、メインゲートイネーブル信号、及びメイン液晶表示パネル１１の各走査ラインＧの信号波形を示している。
【００８２】
本実施形態における駆動方法を実現するためには、メイン画面リフレッシュ動作期間が来る前に、メインシフトレジスタ回路１４１を構成する各レジスタに、各レジスタに対応する走査ラインの選択／非選択を示すデータを入れておく必要がある。そこで、例えば、メイン液晶表示パネル１１の走査ラインを奇数走査ラインと偶数走査ラインに２分割してリフレッシュ動作を行う場合、ＬＣＤコントローラ回路１９からメインゲートスタート信号として、「１、０、１、０、１・・」の信号をメインシフトレジスタ回路１４１に印加する。ここで、“１”がライン選択、“０”がライン非選択を示すデータとなる。尚、全走査ラインを３分割する場合は、メインゲートスタート信号は「１、０、０、１、０、０、１・・」となり、４分割する場合は、メインゲートスタート信号は「１、０、０、０、１、０、０、０、１・・」となる。そして、メインゲートクロック信号に同期して、メインゲートスタート信号がメインシフトレジスタ回路１４１に入力されると共に、順次シフト動作が行われる。この動作は全てのレジスタにデータが保持されるまで続けられ、最終的には奇数走査ラインに対応するレジスタが“１”、偶数走査ラインに対応するレジスタに“０”が設定される状態となる。
【００８３】
次に、メインゲートイネーブル信号の出力に同期して、メインシフトレジスタ回路１４１の各レジスタにおいて“１”に設定されているレジスタに対応する走査ラインが選択状態となる。即ち、走査ラインＧ1等の奇数走査ラインに信号が印加され、リフレッシュ動作が行われる。
【００８４】
またメインゲートイネーブル信号の出力と同時に、メインゲートクロック信号が出力される。このクロック出力に同期して、メインシフトレジスタ回路１４１がシフト動作される。このシフト動作によって、奇数走査ラインに対応するレジスタが“０”、偶数走査ラインに対応するレジスタが“１”が設定される状態となる。そして２番目のメインゲートイネーブル信号の出力に対応して、メインシフトレジスタ回路１４１の各レジスタにおいて“１”に設定されているレジスタに対応する走査ラインが選択状態となる。即ち、走査ラインＧ2等の偶数走査ラインに信号が印加され、リフレッシュ動作が行われる。
【００８５】
尚、メインシフトレジスタ回路１４１に対してメインゲートスタート信号を入力させる動作はメイン画面リフレッシュ動作期間が来る前であればいつでもよく、サブ画面表示期間やリフレッシュ動作を行わないフレーム等でもよい。
【００８６】
このように、本実施形態においては、前記第１及び第２実施形態の場合と同様に、例えば、メイン液晶表示パネル１１を非表示状態とし、サブ液晶表示パネル１２を表示状態とする場合、メイン液晶表示パネル１１のリフレッシュ動作を行わないフレーム期間においては、サブ画面表示期間のみとして、サブ液晶表示パネル１２のゲートスキャン及びライン反転駆動の周波数を下げるとともに、サブ液晶表示パネル１２に対応する共通電圧ＶCOM2の極性反転の回数を減らし、メイン液晶表示パネル１１のリフレッシュ動作を行うフレーム期間において、メイン画面リフレッシュ動作期間を、全走査ラインを複数の走査ライン毎に分割して、分割した複数の走査ライン毎にリフレッシュ動作を行うことによって、サブ液晶表示パネル１２のゲートスキャン及びライン反転駆動のライン周波数を下げるとともに、サブ液晶表示パネル１２に対応する共通電圧ＶCOM2の極性反転の回数を減らすことができるため、消費電力を削減することができる。
【００８７】
図８は本実施形態での液晶表示装置の駆動制御方法の変形例を説明するための信号波形である。すなわち、メイン液晶表示パネル１１を非表示、サブ液晶表示パネル１２を表示状態とし、３フレームに１回のペースでメイン液晶表示パネル１１の全走査ラインを２つに分割してリフレッシュするものであって、横軸を時間軸として、上から順に、走査信号が印加されるゲート番号、信号ラインＳに印加される表示信号の極性、メイン液晶表示パネル１１の対向電極に印加される共通電圧ＶCOM1、サブ液晶表示パネル１２の対向電極に印加される共通電圧ＶCOM2、メイン液晶表示パネル１１及びサブ液晶表示パネル１２の各走査ラインＧの信号波形を示している。
【００８８】
本実施形態において、図７を用いて説明した駆動制御方法では、非表示状態とされるメイン液晶表示パネル１１対向電極に印加される共通電圧ＶCOM1はリフレッシュ動作が行われる複数フレーム（３フレーム）毎に極性反転されることとしたが、本実施形態はこれに限るものではない。すなわち、図８に示すように、この非表示状態とされるメイン液晶表示パネル１１の対向電極に印加される共通電圧ＶCOM1を、サブ液晶表示パネル１２の対向電極に印加される共通電圧ＶCOM2と同じ周期で極性反転するようにしてもよい。これにより、メイン液晶表示パネル１１とサブ液晶表示パネル１２の各対向電極に印加される共通電圧（対向電極信号）を同相にすることができる。即ち、１つのＶＣＯＭ発生回路を２つの液晶表示パネルで共用することが可能となり、回路面積を縮小することができる。
【図面の簡単な説明】
【００８９】
【図１】液晶表示装置の概略構成図。
【図２】液晶表示装置の全体構成図
【図３】各液晶表示パネルの等価回路図。
【図４】第１実施形態での各液晶表示パネルの信号波形を示す図。
【図５】第２実施形態での各液晶表示パネルの信号波形を示す図。
【図６】第３実施形態での各液晶表示パネルの信号波形を示す図。
【図７】第３実施形態での液晶表示装置の主な信号波形を示す図。
【図８】第３実施形態の変形例における各液晶表示パネルの信号波形を示す図。
【図９】表示画素の等価回路図。
【図１０】従来の液晶表示パネルの信号波形を示す図。
【図１１】従来の液晶表示パネルのリフレッシュ動作を含む信号波形を示す図。
【符号の説明】
【００９０】
１      液晶表示装置
１１    メイン液晶表示パネル
１２    サブ液晶表示パネル
１３    ソースドライバ回路
１４    メインゲートドライバ回路
１４１  メインシフトレジスタ回路
１５    サブゲートドライバ回路
１５１  サブシフトレジスタ回路
１６    メインＶＣＯＭ発生回路
１７    サブＶＣＯＭ発生回路
１８    反転ＲＧＢ発生回路
１９    ＬＣＤコントローラ回路
【図１】
2006078765.tif 000003
【図２】
2006078765.tif 000004
【図３】
2006078765.tif 000005
【図４】
2006078765.tif 000006
【図５】
2006078765.tif 000007
【図６】
2006078765.tif 000008
【図７】
2006078765.tif 000009
【図８】
2006078765.tif 000010
【図９】
2006078765.tif 000011
【図１０】
2006078765.tif 000012
【図１１】
2006078765.tif 000013